(57)【特許請求の範囲】
【請求項１】
一端部と他端部とに継手を有し少なくとも一端部を除く中央部と他端部とが樹脂製の筒体と、一端部の継手の基部に一端部が係止すると共に筒体中央部を覆い、他端近傍部が筒体中央部に係止する板金製筒体とを備え、前記一端部の継手はネジ継手又はホース継手であり、板金筒体の他端部が水回り機器に固定されることにより前記水回り機器に取り付けられ、前記水回り機器の入出水部が前記他端部の継手に接続され、前記一端部の継手に水道配管又は他の水回り機器との接続配管が接続されることを特徴とする配管接続部材。
【請求項２】
前記一端部を形成する金属製の第１筒体と、前記中央部と他端部とを形成する樹脂製の第２筒体とを備え、前記一端部の継手は第１筒体の一端部に形成されたネジ継手であり、第２筒体の一端部が第１筒体の他端部に嵌合し、前記他端部の継手は第２筒体の他端部に形成されたフランジ継手であり、板金筒体は第１筒体のネジ継手の基部と第２筒体の他端部を除く部位とに係止して第１筒体と第２筒体とを一体に組み付けることを特徴とする請求項１に記載の配管接続部材。
【請求項３】
前記一端部は樹脂製であって中央部と他端部と共に一体形成され、前記一端部と他端部の継手はホース継手であることを特徴とする請求項１に記載の配管接続部材。
【請求項４】
前記一端部の継手の基部に、互いに平行な２辺を外周に有する横断面形状が形成されていることを特徴とする請求項１乃至３の何れか１項に記載の配管接続部材。
【請求項５】
第２筒体の側面に開口が形成され、前記開口を閉鎖する蓋部材と、蓋部材に対峙して第２筒体内に配設された逆止弁とを備え、逆止弁は、逆止弁に形成された爪又は溝と、前記爪又は溝に係合可能な第２筒体内面に形成された溝又は爪とにより形成される簡易接続機構又は逆止弁に形成された貫通孔と第２筒体に形成された孔と逆止弁の貫通孔に挿通されると共に第２筒体の孔に挿入される抜け止めピンとにより形成される簡易接続機構によって第２筒体に着脱可能に取り付けられていることを特徴とする請求項２に記載の配管接続部材。
【請求項６】
蓋部材がストレーナを形成することを特徴とする請求項５に記載の配管接続部材。
【請求項７】
請求項５又は６に記載の配管接続部材と、請求項２又は３に記載の配管接続部材であって逆止弁もストレーナも有さない単一又は複数の配管接続部材との集合体であって、各配管接続部材の板金筒体が互いに間隔を隔てて一体形成されていることを特徴とする配管接続部材集合体。
【発明の詳細な説明】
【技術分野】
【０００１】
本発明は、一端部と他端部とに継手を有する筒体を備え、前記一端部の継手はネジ継手又はホース継手であり、水回り機器に取り付けられて当該水回り機器の入出水部が前記他端部の継手に接続され、前記一端部の継手に水道配管又は他の水回り機器との接続配管が接続される配管接続部材に関するものである。
【背景技術】
【０００２】
一端部と他端部とに継手を有する筒体を備え、前記一端部の継手はネジ継手又はホース継手であり、水回り機器に取り付けられて当該水回り機器の入出水部が前記他端部の継手に接続され、前記一端部の継手に水道配管又は他の水回り機器との接続配管が接続される配管接続部材が従来から使用されている。配管接続部材は、筒体中央部が水回り機器に固定されることにより前記水回り機器に取り付けられる。
一端部の継手であるネジ継手又はホース継手と水道配管や他の水回り機器との接続配管との接続作業は、水回り機器の設置現場で行われるので、作業環境が悪い場合もあり、作業員が不慣れな場合もあって、ネジ継手やホース継手に曲げ外力であるこじり力が印加され易い。上記こじり力はネジ継手やホース継手から配管接続部材の筒体中央部を介して水回り機器に伝達される。従って配管接続部材の筒体中央部には大きな曲げ応力が発生する。従来の配管接続部材は、こじり力に対する強度確保の観点から筒体中央部を含む全体が金属製であった。
【発明の開示】
【発明が解決しようとする課題】
【０００３】
近年の金属価格の高騰により、全体が金属製の従来の配管接続部材は製造コストが高いという問題を抱えるようになった。
本発明は上記問題に鑑みてなされたものであり、一端部と他端部とに継手を有する筒体を備え、前記一端部の継手はネジ継手又はホース継手であり、水回り機器に取り付けられて当該水回り機器の入出水部が前記他端部の継手に接続され、前記一端部の継手に水道配管又は他の水回り機器との接続配管が接続される配管接続部材であって、従来に比べて製造コストが低く且つこじり力に対する強度低下が抑制された配管接続部材を提供することを目的とする。
【課題を解決するための手段】
【０００４】
上記課題を解決するために、本発明においては、一端部と他端部とに継手を有し少なくとも一端部を除く中央部と他端部とが樹脂製の筒体と、一端部の継手の基部に一端部が係止すると共に筒体中央部を覆い、他端近傍部が筒体中央部に係止する板金製筒体とを備え、前記一端部の継手はネジ継手又はホース継手であり、板金筒体の他端部が水回り機器に固定されることにより前記水回り機器に取り付けられ、前記水回り機器の入出水部が前記他端部の継手に接続され、前記一端部の継手に水道配管又は他の水回り機器との接続配管が接続されることを特徴とする配管接続部材を提供する。
本発明に係る配管接続部材においては、中央部と他端部とを樹脂製とすることにより、製造コストの低減を実現している。一端部の継手であるネジ継手又はホース継手に水道配管や他の水回り機器との接続配管を接続する際に発生するこじり力は、当該一端部の継手の基部に一端部が係止すると共に筒体中央部を覆い、他端近傍部が筒体中央部に係止し、他端部が水回り機器に固定される板金筒体を介して水回り機器に伝達されるので、前記こじり力に起因する曲げ応力は筒体中央部には発生しない。この結果、こじり力に対する強度低下が抑制される。樹脂製の他端部の継手は、樹脂製のネジには強度上の不安がある点を勘案すると、フランジ継手又はホース継手が望ましい。他端部の継手に接続されるのは本発明に係る配管接続部材が取り付けられる水回り機器の入出水部であり、接続作業は水回り機器メーカーの工場内で良好な作業環境の下に慎重に行われるので、仮に他端部の継手がホース継手であったとしても、配管接続時に発生するこじり力は微小であり、樹脂製の中央部に伝達されても問題を生じない。
【０００５】
本発明の好ましい態様においては、配管接続部材は、前記一端部を形成する金属製の第１筒体と、前記中央部と他端部とを形成する樹脂製の第２筒体とを備え、前記一端部の継手は第１筒体の一端部に形成されたネジ継手であり、第２筒体の一端部が第１筒体の他端部に嵌合し、前記他端部の継手は第２筒体の他端部に形成されたフランジ継手であり、板金筒体は第１筒体のネジ継手の基部と第２筒体の他端部を除く部位とに係止して第１筒体と第２筒体とを一体に組み付ける。
高圧配管の接続に使用される配管接続部材においては、一端部の継手はネジ継手とし、他端部の継手はフランジ継手とするのが望ましい。ネジ継手はネジ山の強度を勘案して金属製とするのが望ましい。従って、配管接続部材を形成する筒体を、一端部のネジ継手を形成する金属製の第１筒体と、中央部と他端部のフランジ継手とを形成する樹脂製の第２筒体に分割するのが望ましい。第２筒体の一端部を第１筒体の他端部に嵌合させ、板金筒体を第１筒体のネジ継手の基部と第２筒体の他端部を除く部位とに係止させることにより、第１筒体と第２筒体とを一体に組み付けることができる。
【０００６】
本発明の好ましい態様においては、前記一端部は樹脂製であって中央部と他端部と共に一体形成され、前記一端部と他端部の継手はホース継手である。
低圧配管には一般に樹脂製やゴム製のホースが使用されるので、低圧配管の接続に使用される配管接続部材においては、一端部の継手はホース継手とし、他端部の継手もホース継手とするのが望ましい。ホース継手は樹脂製でも十分に実用に耐え得る。従って配管接続部材を形成する筒体は、一端部から他端部まで一体形成された樹脂製とするのが望ましい。
【０００７】
本発明の好ましい態様においては、前記一端部の継手の基部に、互いに平行な２辺を外周に有する横断面形状が形成されている。
一端部の継手の基部に形成された互いに平行な２辺を外周に有する横断面形状の前記平行な２辺を工具で挟持することにより、前記一端部の継手であるネジ継手に配管を接続する際、或いは前記一端部の継手であるホース継手にホースを接続する際に、筒体の回転を防止して接続作業を容易化することができる。
【０００８】
本発明の好ましい態様においては、第２筒体の側面に開口が形成され、前記開口を閉鎖する蓋部材と、蓋部材に対峙して第２筒体内に配設された逆止弁とを備え、逆止弁は、逆止弁に形成された爪又は溝と、前記爪又は溝に係合可能な第２筒体内面に形成された溝又は爪とにより形成される簡易接続機構又は逆止弁に形成された貫通孔と第２筒体に形成された孔と逆止弁の貫通孔に挿通されると共に第２筒体の孔に挿入される抜け止めピンとにより形成される簡易接続機構によって第２筒体に着脱可能に取り付けられている。
ネジ継手に接続される配管が水道配管の場合、水回り機器から水道配管への水の逆流を防止するために、配管接続部材内に逆止弁が配設される。第２筒体の側面に開口を形成し、前記開口を閉鎖する蓋部材を配設し、蓋部材に対峙して第２筒体内に逆止弁を配設し、逆止弁に形成された爪又は溝と、前記爪又は溝に係合可能な第２筒体内面に形成された溝又は爪とにより形成される簡易接続機構又は逆止弁に形成された貫通孔と第２筒体に形成された孔と逆止弁の貫通孔に挿通されると共に第２筒体の孔に挿入される抜け止めピンとにより形成される簡易接続機構によって逆止弁を第２筒体に着脱可能に取り付けておけば、逆止弁が故障した時に、容易に逆止弁を交換することができる。
【０００９】
本発明の好ましい態様においては、蓋部材がストレーナを形成する。
ネジ継手に接続される配管が水道配管の場合、水回り機器への異物の流入を防止するために配管接続部材内にストレーナが配設される。蓋部材がストレーナを形成すれば、ストレーナの掃除と逆止弁の交換とを同時に且つ容易に行うことができる。
【００１０】
本発明においては、請求項５又は６に記載の配管接続部材と、請求項２又は３に記載の配管接続部材であって逆止弁もストレーナも有さない単一又は複数の配管接続部材との集合体であって、各配管接続部材の板金筒体が互いに間隔を隔てて一体形成されていることを特徴とする配管接続部材集合体を提供する。
本発明に係る配管接続部材集合体が取り付けられた水回り機器の入水部に水道配管を接続し、前記水回り機器よりも下流側にある単一又は並列の複数の水回り機器との接続配管を前記水回り機器の単一又は複数の出入水部に接続することができる。配管接続部材集合体を用いることにより、複数の配管接続部材を水回り機器に取り付ける際の作業が容易になる。
【発明の効果】
【００１１】
本発明により、一端部と他端部とに継手を有する筒体を備え、前記一端部の継手はネジ継手又はホース継手であり、水回り機器に取り付けられて当該水回り機器の入出水部が前記他端部の継手に接続され、前記一端部の継手に水道配管又は他の水回り機器との接続配管が接続される配管接続部材であって、従来に比べて製造コストが低く且つこじり力に対する強度低下が抑制された配管接続部材が提供される。
【発明を実施するための最良の形態】
【００１２】
本発明の第１実施例を説明する。
図１に示すように、高圧の水道配管と電気温水器の高圧の入水部とを接続する配管接続部材Ａは、一端部に雄ネジ１ａが形成された金属製の第１筒体１を備えている。雄ネジ１ａの基部に外周の横断面形状が正６角形の外フランジ１ｂが形成され、第１筒体１の他端部１ｃの外周面に周溝１ｄが形成されている。周溝１ｄにＯリング２が収容されている。
配管接続部材Ａは、一端部３ａが第１筒体１の他端部１ｃに外嵌合し、中央部側面に開口３ｂを形成する円筒壁３ｃが形成され、他端に外フランジ３ｄが形成された樹脂製の第２筒体３を備えている。第２筒体３の中央部外周面に、当該外周面を取り囲み円筒壁３ｃに突き当たる周リブ３ｅが形成され、円筒壁３ｃの外周面に周方向に１８０度の間隔を互いに隔てて一対のリブ３ｆが形成されている。一端部３ａの先端面は外フランジ１ｂの第１筒体他端側へ差し向けられた端面に当接している。一端部３ａと第１筒体１の他端部１ｃとの嵌合部はＯリング２によってシールされている。
【００１３】
配管接続部材Ａは、閉鎖された一端に外フランジ４ａが形成され閉鎖端近傍部の外周面に周溝４ｂが形成された有底筒状の蓋部材４を備えている。周溝４ｂにＯリング５が収容されている。蓋部材４の筒部はメッシュを備えるストレーナ６を形成している。蓋部材４は、筒部が開口３ｂを介して第２筒体３内へ挿入され、外フランジ４ａが円筒壁３ｃの端面に当接すると共に一対のネジ７によって一対のリブ３ｆに固定されることにより、第２筒体３に固定されて開口３ｂを閉鎖している。蓋部材４の閉鎖端近傍部と円筒壁３ｃとの嵌合部は、Ｏリング５によってシールされている。
配管接続部材Ａは、蓋部材４に対峙して第２筒体３内に配設された逆止弁８を備えている。逆止弁８は環状の弁座形成体８ａと、弁座形成体８ａの下流側に配設されバネにより弁座形成体８ａへ向けて付勢された弁体８ｂとを有している。周方向に互いに間隔を隔てて弁座形成体８ａの外周面に形成された放射状の複数の爪９ａと、周方向に互いに間隔を隔てて第２筒体３の内周面に形成され前記複数の爪９ａが係合可能な複数の部分周溝９ｂとにより形成される簡易接続機構９によって、逆止弁８は第２筒体３に着脱可能に取り付けられている。部分周溝９ｂは、第２筒体３の内周面に形成された環状段部３ｇと、環状段部３ｇに近接して且つ周方向に互いに間隔を隔てて第２筒体３の内周面に形成された径方向内方へ差し向けられた複数の爪３ｈとの間に形成されている。弁座形成体８ａの第２筒体３への取付け部は、Ｏリング８ｃによってシールされている。蓋部材４の筒部先端は、弁座形成体８ａの上流側端面に当接して、弁座形成体８ａの脱落を防止している。
【００１４】
配管接続部材Ａは、一端に内フランジ１０ａが形成され他端に外フランジ１０ｂが形成された板金筒体１０を備えている。板金筒体１０の内フランジ１０ａに隣接する部位１０ｃは正６角形の横断面形状を有している。板金筒体１０の一端の内フランジ１０ａは外フランジ１ｂの第１筒体一端部側の端面に当接し、内フランジ１０ａに隣接する横断面形状が正６角形の部位１０ｃは外周の横断面形状が正６角形の外フランジ１ｂに外嵌合している。板金筒体１０の中央部と他端の外フランジ１０ｂとは、第２筒体３の外フランジ３ｄと外フランジ３ｄに近接する部位とを含む他端部と円筒壁３ｃとを除く部位を覆っている。板金筒体１０の中央部側壁に周方向に互いに間隔を隔てて形成された径方向内方への複数の切り起こし部１０ｄの先端が第２筒体中央部外周面に形成された周リブ３ｅの一端部３ａから離隔する端面に弾性係合している。板金筒体１０は、内フランジ１０ａと隣接部１０ｃとを介して一端部が第１筒体１の雄ネジ１ａの基部に係止し、切り起こし部１０ｄを介して他端近傍部が第２筒体３の中央部に係止することにより、第１筒体１と第２筒体３とを一体に組み付けている。
【００１５】
外フランジ１０ｂは電気温水器のケーシング１００にネジ固定されている。第２筒体３の外フランジ３ｄと外フランジ３ｄに近接する部位とを含む他端部は、ケーシング１００に形成された開口を通ってケーシング１００内へ侵入している。
配管接続部材Ａの雄ネジ１ａに高圧の水道配管２００が螺着され、第２筒体３の他端部に電気温水器の高圧の入水配管３００の先端部が挿入されると共に第２筒体３の外フランジ３ｄに電気温水器の高圧の入水配管３００の先端直近部に形成された外フランジ３００ａが図示しないクリップを用いて当接固定されている。
【００１６】
配管接続部材Ａは、高圧の水道配管２００と電気温水器の高圧の入水配管３００とを接続するので、水道配管２００との継手をネジ継手とし、入水配管３００との継手をフランジ継手としている。ネジ継手を形成する第１筒体１を金属製にすることにより雄ネジ１ａの強度を確保し、フランジ継手を形成する第２筒体３を樹脂製にすることにより製造コストを低減している。雄ネジ１ａを水道配管２００に接続する際に発生するこじり力は、雄ネジ１ａの基部である第１筒体１の外フランジ１ｂに係止する板金筒体１０を介して電気温水器のケーシング１００に伝達されるので、前記こじり力に起因する曲げ応力は樹脂製の第２筒体３の中央部には発生しない。この結果、配管接続部材Ａの中央部と他端部とを樹脂化したことによるこじり力に対する強度低下が抑制される。尚フランジ同士を突き当てクリップで固定するフランジ継手には接続時にこじり力は発生しない。
板金筒体１０の内フランジ１０ａに隣接する部位１０ｃの横断面形状の平行な２辺を介して、第１筒体１の外フランジ１ｂの外周横断面形状の平行な２辺を工具を用いて挟持することにより、第１筒体１の一端部に形成された雄ネジ１ａに水道配管２００を螺着する際の第１筒体１の回転を防止することができる。
配管接続部材Ａにおいては、雄ネジ１ａに水道配管２００が螺着されるので、電気温水器から水道配管２００への水の逆流を防止するために、配管接続部材Ａ内に逆止弁８が配設されている。第２筒体３の側面に開口３ｂを形成し、開口３ｂを閉鎖する蓋部材４を配設し、蓋部材４に対峙して第２筒体３内に逆止弁８を配設し、逆止弁８に形成された複数の爪９ａと、爪９ａに係合可能な第２筒体３内面に形成された複数の部分周溝９ｂとにより形成される簡易接続機構９によって逆止弁８を第２筒体３に着脱可能に取り付けたので、逆止弁８が故障した時に、容易に逆止弁８を交換することができる。
配管接続部材Ａにおいては、雄ネジ１ａに水道配管２００が螺着されるので、電気温水器への異物の流入を防止するために配管接続部材Ａ内にストレーナ６が配設されている。蓋部材４がストレーナ６を形成しているので、ストレーナ６の掃除と逆止弁８の交換とを同時に且つ容易に行うことができる。
【００１７】
本発明の第２実施例を説明する。
図２に示すように、電気温水器の高圧の出入水部と下流側の外部熱源や給水栓等の高圧の入出水配管とを接続する配管接続部材Ｂは、一端部に雄ネジ１１ａが形成された金属製の第１筒体１１を備えている。雄ネジ１１ａの基部を形成する第１筒体１１の他端部には、外周の横断面形状が正６角形の外フランジ１１ｂが形成されている。
配管接続部材Ｂは、一端部１３ａが第１筒体１１の他端部に内嵌合し、他端に外フランジ１３ｂが形成された樹脂製の第２筒体１３を備えている。一端部１３ａの外周面に形成された環状段部１３ｃは第１筒体１１の外フランジ１１ｂの雄ネジ１１ａから離隔する端面に当接している。一端部１３ａと第１筒体１１の他端部との嵌合部はＯリング１２によってシールされている。
【００１８】
配管接続部材Ｂは、一端に内フランジ２０ａが形成され他端に外フランジ２０ｂが形成された板金筒体２０を備えている。板金筒体２０の内フランジ２０ａに隣接する部位２０ｃは正６角形の横断面形状を有している。板金筒体２０の一端の内フランジ２０ａは外フランジ１１ｂの第１筒体一端部側の端面に当接し、内フランジ２０ａに隣接する横断面形状が正６角形の部位２０ｃは外周の横断面形状が正６角形の外フランジ１１ｂに外嵌合している。板金筒体２０の中央部と他端の外フランジ２０ｂとは第２筒体１３の外フランジ１３ｂと外フランジ１３ｂに近接する部位とを含む他端部と第１筒体１１の他端部に内嵌合した一端部１３ａとを除く部位を覆っている。周方向に互いに間隔を隔てて板金筒体２０の外フランジ２０ｂに近接する部位に形成された複数の径方向内方への切り起こし部２０ｄの先端が、周方向に互いに間隔を隔てて第２筒体１３の中央部外周面に形成された複数の放射状突起１３ｄの一端部１３ａから離隔する端面に弾性係合している。板金筒体２０は、内フランジ２０ａと隣接部２０ｃとを介して一端部が第１筒体１１の雄ネジ１１ａの基部に係止し、切り起こし部２０ｄを介して他端近傍部が第２筒体１３の中央部に係止することにより、第１筒体１１と第２筒体１３とを一体に組み付けている。
【００１９】
外フランジ２０ｂは電気温水器のケーシング１００にネジ固定されている。第２筒体１３の外フランジ１３ｂと外フランジ１３ｂに近接する部位とを含む他端部は、ケーシング１００に形成された開口を通ってケーシング１００内へ侵入している。
第２筒体１３の他端部に電気温水器の高圧の出入水配管４００の先端部が挿入されると共に第２筒体１３の外フランジ１３ｂに電気温水器の高圧の出入水配管４００の先端近傍に形成された外フランジ４００ａが図示しないクリップを用いて固定され、雄ネジ１１ａに下流側の外部熱源や給水栓等の高圧の入出水配管５００が螺着されている。
【００２０】
配管接続部材Ｂは、下流側の外部熱源や給水栓等の高圧の入出水配管５００と電気温水器の高圧の出入水配管４００とを接続するので、入出水配管５００との継手をネジ継手とし、出入水配管４００との継手をフランジ継手としている。ネジ継手を形成する第１筒体１１を金属製にすることにより雄ネジ１１ａの強度を確保し、フランジ継手を形成する第２筒体１３を樹脂製にすることにより製造コストを低減している。雄ネジ１１ａを入出水配管５００に接続する際に発生するこじり力は、雄ネジ１１ａの基部である外フランジ１１ｂに係止する板金筒体２０を介して電気温水器のケーシング１００に伝達されるので、前記こじり力に起因する曲げ応力は樹脂製の第２筒体１３の中央部には発生しない。この結果、配管接続部材Ｂの中央部と他端部とを樹脂化したことによるこじり力に対する強度低下が抑制される。尚フランジ同士を突き当てクリップで固定するフランジ継手には接続時にこじり力は発生しない。
板金筒体２０の内フランジ２０ａに隣接する部位２０ｃの横断面形状の平行な２辺を介して、第１筒体１１の外フランジ１１ｂの外周横断面形状の平行な２辺を工具を用いて挟持することにより、第１筒体１１の一端部に形成された雄ネジ１１ａに入出水配管５００を螺着する際の第１筒体１１の回転を防止することができる。
【００２１】
本発明の第３実施例を説明する。
図３に示すように、電気温水器の低圧の出入水部と下流側の浴槽等の低圧の入出水配管とを接続する配管接続部材Ｃは、一端部のホース継手３３ａと他端部のホース継手３３ｂと中央部３３ｃとが一体形成された樹脂製の筒体３３を備えている。ホース継手３３ａの基部に外周の横断面形状が正６角形の外フランジ３３ｄが形成されている。
【００２２】
配管接続部材Ｃは、一端に内フランジ４０ａが形成され他端に外フランジ４０ｂが形成された板金筒体４０を備えている。板金筒体４０の内フランジ４０ａに隣接する部位４０ｃは正６角形の横断面形状を有している。板金筒体４０の一端の内フランジ４０ａは外フランジ３３ｄのホース継手３３ａ側の端面に当接し、内フランジ４０ａに隣接する横断面形状が正６角形の部位４０ｃは外周の横断面形状が正６角形の外フランジ３３ｄに外嵌合している。板金筒体４０の中央部と他端の外フランジ４０ｂとは筒体３３のホース継手３３ａが形成された一端部とホース継手３３ｂが形成された他端部とを除く筒体３３の中央部３３ｃを覆っている。周方向に互いに間隔を隔てて板金筒体４０の外フランジ４０ｂに近接する部位に形成された複数の径方向内方への切り起こし部４０ｄの先端が、周方向に互いに間隔を隔てて筒体３３の外周面に形成された複数の放射状突起３３ｅのホース継手３３ａから離隔する端面に弾性係合している。板金筒体４０は、内フランジ４０ａと隣接部４０ｃとを介して一端部がホース継手３３ａの基部に係止し、切り起こし部４０ｄを介して他端近傍部が筒体３３の中央部に係止することにより、筒体３３に係止している。
【００２３】
外フランジ４０ｂは電気温水器のケーシング１００にネジ固定されている。ホース継手３３ｂは、ケーシング１００に形成された開口を通ってケーシング１００内へ侵入している。
ホース継手３３ｂに電気温水器の低圧の出入水ホース６００の先端部が外嵌固定され、ホース継手３３ａに下流側の浴槽等の低圧の入出水ホース７００が外嵌固定されている。
【００２４】
配管接続部材Ｃは、下流側の浴槽等の低圧の入出水ホース７００と電気温水器の低圧の出入水ホース６００とを接続するので、入出水ホース７００との継手３３ａも出入水ホース６００との継手３３ｂもホース継手としている。筒体３３の全体を樹脂製にすることにより製造コストを低減している。ホース継手３３ａを入出水ホース７００に接続する際に発生するこじり力は、ホース継手３３ａの基部である外フランジ３３ｄに係止する板金筒体４０を介して電気温水器のケーシング１００に伝達されるので、前記こじり力に起因する曲げ応力は樹脂製筒体３３の中央部には発生しない。この結果、配管接続部材Ｃの筒体３３の全体を樹脂化したことによるこじり力に対する強度低下が抑制される。ホース継手３３ｂに接続されるのは配管接続部材Ｃが取り付けられた電気温水器の出入水ホース６００であり、接続作業は電気温水器メーカーの工場内で良好な作業環境の下に慎重に行われるので、ホース継手３３ｂに出入水ホース６００を接続する際に発生するこじり力は微小であり、樹脂製筒体３３の中央部に伝達されても問題を生じない。
板金筒体４０の内フランジ４０ａに隣接する部位４０ｃの横断面形状の平行な２辺を介して、外フランジ３３ｄの外周横断面形状の平行な２辺を工具を用いて挟持することにより、ホース継手３３ａに入出水ホース７００を外嵌合させる際の筒体３３の回転を防止することができる。
【００２５】
外フランジ１ｂ、１１ｂ、３３ｄの外周の横断面形状は正６角形に限定されない。平行な２辺を外周に有する形状であれば良い。
内フランジ１０ａと隣接部位１０ｃ、内フランジ２０ａと隣接部位２０ｃ、内フランジ４０ａと隣接部位４０ｃを、周方向連続体ではなく、周方向に離散配置された爪にしても良い。
配管接続部材Ａにおいて第２筒体３の一端部３ａを配管接続部材Ｂと同様に第１筒体１の他端部に内嵌合させても良く、配管接続部材Ｂにおいて第２筒体１３の一端部１３ａを配管接続部材Ａと同様に第１筒体１１の他端部に外嵌合させても良い。
配管接続部材Ａにおいて、簡易接続機構９に代えて、弁座形成体８ａの側壁に形成した一対の互いに正対する貫通孔と、当該貫通孔に正対して第２筒体３に形成した一対の有底孔或いは貫通孔と有底孔との組み合わせと、弁座形成体８ａの前記一対の貫通孔に挿通されると共に第２筒体３の一対の有底孔或いは貫通孔と有底孔とに挿入される抜け止めピンとにより形成される簡易接続機構によって逆止弁８を第２筒体３に着脱可能に取り付けても良い。
配管接続部材Ａにおいて、簡易接続機構９に代えて、周方向に互いに間隔を隔てて弁座形成体８ａの外周面に形成された複数の部分周溝と、周方向に互いに間隔を隔てて第２筒体３の内周面に形成され前記複数の周溝に係合可能な複数の径方向内方へ差し向けられた爪とにより形成される簡易接続機構によって、逆止弁８を第２筒体３に着脱可能に取り付けても良い。
第２筒体３、１３の他端に外フランジ３ｄ、１３ｂを形成するのに代えて、図４に示すように第２筒体３、１３の他端直近部に外フランジ３ｄ、１３ｂを形成し、第２筒体３、１３の他端を配管３００、４００の先端部に挿入し、外フランジ３ｄ、１３ｂを配管３００、４００の先端に形成したフランジ３００ａ、４００ａにクリップを用いて固定しても良い。
【００２６】
図５に示すように、単一の配管接続部材Ａと複数の配管接続部材Ｂの集合体であって、板金筒体１０と複数の板金筒体２０とが互いに間隔を隔てて一体形成された配管接続部材集合体Ｄを電気温水器のケーシングに取り付けても良い。配管接続部材集合体Ｄを用いて、電気温水器の入水部に水道配管を接続し、電気温水器の複数の出入水部を電気温水器の下流に配設された外部熱源や水栓等の複数の水回り機器の入出水部に接続することができる。配管接続部材集合体Ｄを用いることにより、複数の配管接続部材を水回り機器に取り付ける際の作業が容易になる。
電気温水器の下流に配設される水回り機器が単一の場合には、単一の配管接続部材Ａと単一の配管接続部材Ｂの集合体であって、板金筒体１０と板金筒体２０とが互いに間隔を隔てて一体形成された配管接続部材集合体を電気温水器のケーシングに取り付けても良い。
単一の配管接続部材Ａと単一又は複数の配管接続部材Ｃとで配管接続部材集合体を形成しても良い。
単一の配管接続部材Ａと単一又は複数の配管接続部材Ｂと単一又は複数の配管接続部材Ｃとで配管接続部材集合体を形成しても良い。
【産業上の利用可能性】
【００２７】
本発明に係る配管接続部材は電気温水器のみならずガス給湯器その他の種々の給湯給水機器を含む種々の水回り機器に利用可能である。
【図面の簡単な説明】
【００２８】
【図１】本発明の第１実施例に係る配管接続部材の構造図である。（ａ）は断面図であり、（ｂ）は側面図であり、（ｃ）は（ｂ）のｃ−ｃ矢視図である。
【図２】本発明の第２実施例に係る配管接続部材の断面図である。
【図３】本発明の第３実施例に係る配管接続部材の断面図である。
【図４】本発明の他の実施例に係る配管接続部材の部分断面図である。
【図５】本発明の実施例に係る配管接続部材集合体の断面図である。
【符号の説明】
【００２９】
Ａ、Ｂ、Ｃ  配管接続部材
Ｄ  配管接続部材集合体
１、１１  第１筒体
１ａ、１１ａ  雄ネジ
３、１３  第２筒体
３ｄ、１３ｂ  外フランジ
４  蓋部材
６  ストレーナ
８  逆止弁
１０、２０、４０  板金筒体
３３  筒体
３３ａ、３３ｂ  ホース継手
【図１】
0005207453.tif 000002
【図２】
0005207453.tif 000003
【図３】
0005207453.tif 000004
【図４】
0005207453.tif 000005
【図５】
0005207453.tif 000006